(57)【要約】【課題】  本発明は、ボーナスゲーム内部当たりが発生したときに、風を発生させこの風を遊技者に吹きかけることにより、従来にはない新たな告知態様により、ボーナスゲーム内部当たりを遊技者に告知する風告知機能付きスロットマシンの提供を目的とする。【解決手段】  スロットマシン１は、内部当たり抽選部１１においてボーナスゲーム内部当たりが発生すると、上部化粧板３に配設した風発生部８から遊技者に風を吹きかけることによって、ボーナスゲーム内部当たりを告知する構成としてある。【選択図】  図１
2008073559.tif 000002
【特許請求の範囲】
【請求項１】
ゲームが開始されると、内部当たり抽選部が内部当たりの抽選を行うスロットマシンであって、
風を発生させる風発生部と、
この風発生部と接続され、前記内部当たり抽選部においてボーナスゲーム内部当たりが発生すると、前記風発生部を制御して風を発生させる風発生制御部と
を具備し、
前記風発生部が、スロットマシンの操作部に配設されたことを特徴とする風告知機能付きスロットマシン。
【請求項２】
ゲームが開始されると、内部当たり抽選部が内部当たりの抽選を行うスロットマシンであって、
風を発生させる風発生部と、
この風発生部と接続され、前記内部当たり抽選部においてボーナスゲーム内部当たりが発生すると、前記風発生部を制御して風を発生させる風発生制御部と
を具備し、
前記風発生部が、スロットマシンのメダル払出し部に配設されたことを特徴とする風告知機能付きスロットマシン。
【請求項３】
ゲームが開始されると、内部当たり抽選部が内部当たりの抽選を行うスロットマシンであって、
風を発生させる風発生部と、
この風発生部と接続され、前記内部当たり抽選部においてボーナスゲーム内部当たりが発生すると、前記風発生部を制御して風を発生させる風発生制御部と
を具備し、
前記風発生部が、異なる臭いを発生させる複数の臭い発生手段を有する臭い発生部を備え、
前記風発生制御部が、前記ボーナスゲーム内部当たりの種類に応じて、前記風発生部の風の臭いを変化させることを特徴とする風告知機能付きスロットマシン。
【請求項４】
前記風発生部の風のみにより前記ボーナスゲーム内部当たりを前記遊技者に告知するための、切替手段を備えたことを特徴とする請求項１〜３のいずれかに記載の風告知機能付きスロットマシン。
【請求項５】
前記風発生部が、前記風の風向きを調整するための風向板を備えたことを特徴とする請求項１〜４のいずれかに記載の風告知機能付きスロットマシン。
【請求項６】
前記風発生制御部が、前記ボーナスゲーム内部当たりの種類に応じて、前記風発生部の風の風量を変化させることを特徴とする請求項１〜５のいずれかに記載の風告知機能付きスロットマシン。
【請求項７】
前記風発生制御部が、前記ボーナスゲーム内部当たりの種類に応じて、前記風発生部の風の風向を変化させることを特徴とする請求項１〜６のいずれかに記載の風告知機能付きスロットマシン。
【請求項８】
前記風発生部がヒータを備え、
前記風発生制御部が、前記ボーナスゲーム内部当たりの種類に応じて、前記風発生部の風の温度を変化させることを特徴とする請求項１〜７のいずれかに記載の風告知機能付きスロットマシン。
【請求項９】
前記風発生部が臭い発生部を備え、
前記風発生制御部が、前記ボーナスゲーム内部当たりの種類に応じて、前記風発生部の風に臭いを添加することを特徴とする請求項１又は２に記載の風告知機能付きスロットマシン。
【請求項１０】
前記風発生部が、異なる臭いを発生させる複数の臭い発生手段を備え、
前記風発生制御部が、前記ボーナスゲーム内部当たりの種類に応じて、前記風発生部の風の臭いを変化させることを特徴とする請求項９記載の風告知機能付きスロットマシン。
【発明の詳細な説明】
【技術分野】
【０００１】
本発明は、風告知機能付きスロットマシンに関し、特に、ボーナスゲーム内部当たりが発生したときに、風を発生させこの風を遊技者に吹きかけることにより、従来にはない新たな告知態様により、ボーナスゲーム内部当たりを遊技者に告知する風告知機能付きスロットマシンに関する。
【背景技術】
【０００２】
スロットマシンは、例えば、「７・７・７」によるビッグボーナスゲームや「ＢＡＲ，ＢＡＲ，ＢＡＲ」によるレギュラーボーナスゲームといったボーナスゲームを連続して獲得できる入賞配列に当選すると、大量の入賞メダル及び刺激的な表示や音によって、遊技者に興奮や面白さを提供しており、これにより、多くの遊技者から愛好されている。したがって、遊戯中の遊技者は、ビッグボーナスゲームやレギュラーボーナスゲームを連続して獲得できる入賞配列に当選できるか、否かに最大の関心を払っている。
【０００３】
以下に、従来のスロットマシンの構造及び動作について、図面を参照して説明する。
図８は、従来例にかかるスロットマシンの概略図であり、（ａ）は正面図を、（ｂ）は側面図を示している。
また、図９は、従来例にかかるスロットマシンの制御系を説明するための要部の概略ブロック図を示している。
【０００４】
図８に示すように、従来のスロットマシン１００は、上からランプ２と、上部化粧板３と、前面パネル４と、操作部５と、下部化粧板６と、メダル払出し部７とで構成してある。
【０００５】
前面パネル４には、複数の図柄が描かれた三つの回胴、すなわち、第一回胴４１，第二回胴４２及び第三回胴４３が回転自在に並設されている。
通常、上記回胴４１，４２，４３には、図示してないが、通常、「７」や「ＢＡＲ」などのボーナスゲームに関連する図柄と、その他数種類の図柄が描かれている。
【０００６】
操作部５には、一般に、第一回胴４１，第二回胴４２，第三回胴４３を一斉に回転させてゲームを開始するためのスタートレバー５０と、回転している各回胴４１，４２，４３を停止させる三つの停止ボタン、すなわち、第一回胴停止ボタン５１，第二回胴停止ボタン５２，第三回胴停止ボタン５３とが配設されている。
【０００７】
上記スロットマシン１００は、遊技者がメダルを投入しスタートレバー５０を操作するとゲームが開始され、図９に示すように、スタートレバー５０から制御部１１０に設けられた内部当たり抽選部１１と回胴回転制御部１２にスタート信号を出力する。
【０００８】
内部当たり抽選部１１は、スタート信号を入力すると、瞬間的に内部当たりの抽選を行う。
ここで、「内部当たり」とは、例えば、「７・７・７」によるビッグボーナスゲーム，「ＢＡＲ，ＢＡＲ，ＢＡＲ」によるレギュラーボーナスゲームといったボーナスゲームを連続して獲得できる入賞配列や、一回だけの入賞メダルを獲得できる所定図柄による入賞配列で、各回胴４１，４２，４３の図柄が揃う権利を獲得することをいう。
また、内部当たり抽選部１１は、内部当たりが発生すると、内部当たり発生信号を回胴回転制御部１２に出力する。
【０００９】
回胴回転制御部１２は、スタート信号を入力すると、第一回胴４１，第二回胴４２及び第三回胴４３に回転開始信号を出力し回転させる。
そして、回胴回転制御部１２は、遊技者が第一回胴停止ボタン５１，第二回胴停止ボタン５２及び第三回胴停止ボタン５３を押すと、各停止ボタン５１，５２，５３から停止信号を入力し、内部当たりの有無及び停止信号を入力したタイミングに応じて、回転停止信号を各回胴４１，４２，４３に出力し回転を停止させる。
【００１０】
つまり、回胴回転制御部１２は、停止信号を入力したタイミングに応じて、回転停止信号を各回胴４１，４２，４３に出力し回転を停止させるが、停止ボタン５１，５２，５３を押すタイミングがいかに合っていようとも、上記内部当たりが発生していない場合には、回転停止信号を出力するタイミングをずらして、各回胴４１，４２，４３が入賞配列の図柄で揃わないように制御する。
【００１１】
また、回胴回転制御部１２は、上記内部当たりが発生している場合には、停止ボタン５１，５２，５３を押すタイミングが多少合っていなくても、回転停止信号を出力するタイミングを合わせて、各回胴４１，４２，４３が入賞配列の図柄で揃うように制御する。
つまり、スロットマシン１００は、内部当たりが発生していても、遊技者の停止ボタン５１，５２，５３を押すタイミングが大きく合わなければ、内部当たりした当選図柄の入賞配列で揃わないこととなる。
【００１２】
このようにして、スロットマシン１００は、遊技者の操作により各回胴４１，４２，４３の回転が停止し、これら三つの回胴がすべて停止したときに、各回胴４１，４２，４３を結ぶ所定の当選ライン上（図示せず）の図柄が所定の入賞配列を構成すると、入賞メダルが払い出されるようになっている。
【００１３】
ところで、上述したように遊戯中の遊技者の最大の関心事は、ビッグボーナスゲームやレギュラーボーナスゲームを連続して獲得できる入賞配列に当選できるか否かであり、これら入賞配列で当選するには、まず、内部当たり抽選部１１において、ボーナスゲームを連続して獲得できる入賞配列の内部当たり（本明細書においては、ボーナスゲーム内部当たりとも称す。）が発生していなければならない。
したがって、上述した遊技者の最大の関心事は、ボーナスゲーム内部当たりが発生したか否かということになる。
【００１４】
そこで、従来のスロットマシン１００は、図９に示すように、回胴回転制御部１２が、内部当たり発生信号を入力すると、この内部当たり発生信号がボーナスゲーム内部当たり発生信号であるか否かを判断し、ボーナスゲーム内部当たり発生信号である場合には、遊技者にボーナスゲーム内部当たりが発生していることを告知するために、遊技者の停止ボタンを押すタイミングによって、各回胴４１，４２，４３の停止位置を制御し、リーチ目と呼ばれる特定の図柄を揃えていた。
【００１５】
ただし、上記リーチ目は、遊技者の停止ボタン５１，５２，５３を押すタイミングによって、揃ったり揃わなかったりするので、ボーナスゲーム内部当たりが発生してもリーチ目が揃わない場合がある。かかる場合には、遊技者がリーチ目を知っていたとしても、ボーナスゲーム内部当たりの発生に気づかないこととなる。
また、スロットマシンの機種が異なると、リーチ目も異なるので、遊技者は、リーチ目を知らずに遊技することもある。
【００１６】
このため、従来のスロットマシン１００では、さらに、図９に示すように、制御部１１０に告知手段制御部１１１を設けてあり、この告知手段制御部１１１は、内部当たり抽選部１１からボーナスゲーム内部当たり信号を入力すると、図８に示すスピーカ７１から特定の音を発生させたり、告知ランプ４４を点灯させたりして、遊技者が確実に認識できる方法でボーナスゲーム内部当たりの告知を行っていた（特許文献１参照）。
なお、この告知手段制御部１１１は、回胴回転制御部１２からボーナスゲームを連続して獲得できる入賞配列で当選した旨の当選信号を入力すると、特定音の発生を停止し告知ランプ４４を消灯していた。
【００１７】
この際、熟練した遊技者は、リーチ目が揃ったり、特定音が鳴ったり、あるいは、告知ランプ４４が点灯したりして、ボーナスゲーム内部当たりが発生したことを認識すると、回転している回胴の図柄を見て停止ボタンを押すタイミングを合わせて停止ボタンを押すこと（適宜、“目押し”と略称する。）により、当選図柄の入賞配列を一回のゲームで揃えることができる。
【００１８】
これに対し、熟練しておらず目押しのできない遊技者は、ボーナスゲーム内部当たりが発生しているにもかかわらず、一回のゲームで当選図柄の入賞配列を揃えることができず、メダルを浪費する場合がある。
なお、このような遊技者のなかには、回転している回胴の図柄から停止ボタンを押すタイミングを合わせる練習を行いながら遊技を行う者もいる。
【特許文献１】特開平１０−３０５１２８号公報
【発明の開示】
【発明が解決しようとする課題】
【００１９】
しかしながら、ボーナスゲーム内部当たりが発生したことを告知する告知態様は、上述したようにリーチ目，特定音及び告知ランプによる告知態様に限られており、遊技者にマンネリ感や倦怠感等を与えてしまうといった問題があった。このため、従来にない新しい告知態様の開発が望まれていた。
【００２０】
また、上記リーチ目，特定音及び告知ランプによるボーナスゲーム内部当たりの告知は、告知されるべき当該スロットマシンを遊技中の遊技者だけでなく、周囲の遊技者にも容易に知られてしまう。
このような場合、目押しのできない遊技者は、周囲の遊技者から威圧感を感じたり、目押しできない自分を非常に恥ずかしく感じてしまい、遊技意欲を喪失してしまうといった深刻な問題があった。
また、目押しを練習しようとしていた遊技者は、回転している回胴の図柄から停止ボタンを押すタイミングを合わせる練習に集中できなくなり、遊技意欲が減退するといった問題があった。
【００２１】
ところで、スロットマシンは、遊技をより多くの人に楽しんでもらうといった観点から、たとえば、目に障害を持つ人が、健康な人とより公平な条件で遊技できることが望ましい。
したがって、上述したように、ボーナスゲーム内部当たりが発生したことを特定音により遊技者に告知するスロットマシンは、目に障害を持つ人が、健康な人とより公平な条件で遊技できるという点で優れた効果を発揮していた。
【００２２】
しかしながら、遊技場によっては、大きな音で音楽をかけたり放送などを行っている遊技場もあり、このような遊技場においては、目に障害を持つ人が、ボーナスゲーム内部当たりが発生したことを告知する音を聞きとることができず、ボーナスゲーム内部当たりの告知を認識できないといった問題があった。
【００２３】
本発明は、上述した従来の技術が有する問題を解決するために提案されたものであり、ボーナスゲーム内部当たりが発生したときに、風を発生させこの風を遊技者に吹きかけることにより、従来にはない新たな告知態様により、ボーナスゲーム内部当たりを遊技者に告知する風告知機能付きスロットマシンの提供を目的とする。
【課題を解決するための手段】
【００２４】
上記目的を達成するため本発明の風告知機能付きスロットマシンは、ゲームが開始されると、内部当たり抽選部が内部当たりの抽選を行うスロットマシンであって、風を発生させる風発生部と、この風発生部と接続され、前記内部当たり抽選部においてボーナスゲーム内部当たりが発生すると、前記風発生部を制御して風を発生させる風発生制御部とを具備した構成としてある。
【００２５】
このように、風を発生させこの風を遊技者に吹きかけることにより、従来にはない新たな告知態様により、ボーナスゲーム内部当たりを遊技者に告知することができる。また、当該スロットマシンを遊技中の遊技者は、風が吹きかけられることにより、ボーナスゲーム内部当たりをより確実に認識することができる。
さらに、例えば、目に障害を持つ遊技者にとっては、遊技場がやかましい場合であっても、確実にボーナスゲーム内部当たりを認識することができる。
【００２６】
また、本発明の風告知機能付きスロットマシンは、前記風発生部の風のみにより前記ボーナスゲーム内部当たりを前記遊技者に告知する構成としてある。さらに、本発明の風告知機能付きスロットマシンは、前記風発生部の風のみにより前記ボーナスゲーム内部当たりを前記遊技者に告知するための、切替手段を備えた構成としてある。
【００２７】
このようにすることにより、周囲の遊技者は、ボーナスゲーム内部当たりの発生したことに気づかないので、ボーナスゲーム内部当たりを獲得した遊技者が、目押しのできない遊技者である場合であっても、周囲の遊技者から威圧感を感じて、遊技意欲を喪失してしまうといった不具合を回避することができる。
また、目押しを練習する遊技者にとっては、周囲の遊技者の目を気にしなくてもすむので、集中して目押しの練習を行うことができる。
さらに、風発生部のみを用いてボーナスゲーム内部当たりを遊技者に告知するかどうかを設定する切替手段を設けることにより、例えば、遊技者が自由に選択することができる。
【００２８】
また、本発明の風告知機能付きスロットマシンは、前記風発生部が、前記風の風向きを調整するための風向板を備えた構成としてある。
このようにすることにより、遊技者が自己の身長や好みなどにより、自由に風向きを調整することができる。
【００２９】
また、本発明の風告知機能付きスロットマシンは、前記風発生制御部が、前記ボーナスゲーム内部当たりの種類に応じて、前記風発生部の風の風量を変化させる構成としてある。
このように、風の風量を変化させることにより、ボーナスゲーム内部当たりの種類、たとえば、「７・７・７」によるビッグボーナスゲームに内部当たりしたのか、あるいは、「ＢＡＲ，ＢＡＲ，ＢＡＲ」によるレギュラーボーナスゲームに内部当たりしたのか、を遊技者に告知することができる。
なお、ボーナスゲーム内部当たりには、通常、ビッグボーナスゲームとレギュラーボーナスゲームとの二種類のボーナスゲーム内部当たりがある。
【００３０】
また、本発明の風告知機能付きスロットマシンは、前記風発生制御部が、前記ボーナスゲーム内部当たりの種類に応じて、前記風発生部の風の風向を変化させる構成としてある。さらに、本発明の請求項７記載の風告知機能付きスロットマシンは、前記風発生部がヒータを備え、前記風発生制御部が、前記ボーナスゲーム内部当たりの種類に応じて、前記風発生部の風の温度を変化させる構成としてある。
このように、風向きや風の温度を異ならせることにより、ボーナスゲーム内部当たりの種類を遊技者に告知することができる。
【００３１】
また、本発明の風告知機能付きスロットマシンは、前記風発生部が臭い発生部を備え、前記風発生制御部が、前記ボーナスゲーム内部当たりの種類に応じて、前記風発生部の風に臭いを添加する構成としてある。さらに、本発明の風告知機能付きスロットマシンは、前記風発生部が複数の臭い発生部を備え、前記風発生制御部が、前記ボーナスゲーム内部当たりの種類に応じて、前記風発生部の風の臭いを変化させる構成としてある。
このように、風に臭いを添加したり、風の臭いを変化させることによっても、ボーナスゲーム内部当たりの種類を遊技者に告知することができる。
【発明の効果】
【００３２】
以上説明したように本発明のスロットマシンによれば、遊技者の最大の関心事である、ボーナスゲーム内部当たりが発生しているかどうかについて、遊技者に風を吹きかけるといった従来にはない新たな告知態様で告知を行うことができ、スロットマシンに対するマンネリ感を払拭し、遊技者の倦怠感等を低減することができる。
【００３３】
また、本発明のスロットマシンによれば、ボーナスゲーム内部当たりが発生した場合に、当該スロットマシンの遊技者だけに、風による告知といった斬新な告知態様によって告知を行うことができる。
これにより、リーチ目も揃わず特定音や告知ランプが作動しないので、周囲の遊技者は、ボーナスゲーム内部当たりの発生したことを気づけないので、遊技者は、目押しができなくても、周囲の遊技者から威圧感を感じたり、目押しできない自分を非常に恥ずかしく感じてしまい、遊技意欲を喪失してしまうことを防止することができる。また、目押しを練習しようとしていた遊技者は、回転している回胴の図柄から停止ボタンを押すタイミングを合わせる練習に集中することができる。
【００３４】
また、本発明のスロットマシンによれば、遊技者が目に障害を持つ場合であっても、風を吹きかけることにより、ボーナスゲーム内部当たりの告知を行うので、ボーナスゲーム内部当たりの発生をより確実に認識させることができる。
【発明を実施するための最良の形態】
【００３５】
以下、本発明の風告知機能付きスロットマシン（適宜、スロットマシンと略称する。）の好ましい実施形態について、図面を参照して説明する。
【００３６】
［第一実施形態］
図１は、本発明の第一実施形態にかかるスロットマシンの概略図であり、（ａ）は正面図を、（ｂ）は側面図を示している。
同図に示すように、本実施形態は、スロットマシン１の上部化粧板３に、風発生部８を設けてあり、かつ、風発生部８の風のみにより、ボーナスゲーム内部当たりを遊技者に告知する構成としてある。
なお、本実施形態に係るスロットマシン１は、その他の構成については、従来のスロットマシンとほぼ同様としてある。
【００３７】
具体的には、同図に示すように、スロットマシン１は、上部化粧板３の両側に風発生部８を配設してあり、また、上述した告知ランプ４４を設けていない構造としてある。
なお、風発生部８の風のみによりボーナスゲーム内部当たりを遊技者に告知する構成としてあるので、ボーナスゲーム内部当たりが発生しても、リーチ目，特定音，告知ランプ４４による告知が行われないことは勿論である。
【００３８】
風発生部８は、図２に示すように、スロットマシン１の本体内部に配設されたモータ８１と、このモータ８１の軸に直結されたファン８２と、ファン８２が収納される樹脂製のケーシング８３と、同じく樹脂製の風向板８４とからなっている。
【００３９】
ケーシング８３の中央部には、円形の吹出し口８５が形成されており、ファン８２が回転すると、吹出し口８５から風向板８４の方向に沿って風が吹き出される。
また、風向板８４は、遊技者の上半身方向を向いており、ファン８２からの風を遊技者の上半身のみに吹きかける構成としてある。したがって、風発生部８から風が吹き出されても、周囲の遊技者は気づかない。
【００４０】
ここで、好ましくは、風向板８４を、吹きかける風の風向きを調整できるように回動する構造とするとよい。
このようにすることにより、遊技者が自己の身長や好みなどにより、自由に風向きを調整することができ、風を遊技者の特定の場所、例えば、顔等に吹きかけることができる。
【００４１】
なお、風発生部８は、上部化粧板３に配設した構成としてあるが、この構成に限定するものではなく、たとえば、前面パネル４，操作部５，下部化粧板６又はメダル払出し部７に配設する構成としてもよく、このようにして、遊技者の手などに風を吹きかけてもよい。
【００４２】
次に、上記構成のスロットマシン１の動作について、図面を参照して説明する。
図３は、第一実施形態にかかるスロットマシンの制御系を説明するための要部の概略ブロック図を示している。
同図に示すように、本実施形態は、制御部１０が、内部当たり抽選部１１，回胴回転制御部１２及び風発生制御部１３を備えており、風発生部８を風発生制御部１３が制御する構成としてある。
【００４３】
具体的には、まず、遊技者はスロットマシン１にメダルを投入する。このメダル投入は、メダル投入口にメダルを直接投入する場合と、投入ボタンによって貯留メダルを投入する場合とがあるが、スロットマシン１にメダルが投入されれば、いずれの方法でメダルが投入されてもよいことは勿論である。
【００４４】
次に、遊技者がスタートレバー５０を操作すると、スタートレバー５０がオン状態となり、スタート信号を制御部１０の内部当たり抽選部１１と回胴回転制御部１２に出力する。
【００４５】
内部当たり抽選部１１は、スタート信号を入力すると、内部当たりの抽選処理を行ない、内部当たりが発生した場合には、内部当たり発生信号を回胴回転制御部１２に出力する。
なお、この内部当たり発生信号には、上述したボーナスゲーム内部当たり信号を含むものとする。
【００４６】
ここで、スロットマシン１は、内部当たり抽選部１１において、ボーナスゲーム内部当たりが発生すると、内部当たり抽選部１１が風発生制御部１３にボーナスゲーム内部当たり発生信号を出力する。
【００４７】
風発生制御部１３は、ボーナスゲーム内部当たり発生信号を入力すると、制御信号を風発生部８に出力し、風発生部８のモータ８１を駆動しファン８２を回転させ、吹出し口８５から風を当該スロットマシン１の遊技者だけに吹きかける。
【００４８】
また、スロットマシン１は、回胴回転制御部１２がスタート信号を入力すると、各回胴４１，４２，４３が一斉に回転する。
なお、各回胴４１，４２，４３は、回転を開始してから所定の回転数に到達するまでには、通常コンマ数秒かかることから、内部当たり抽選部１１において、ボーナスゲーム内部当たりが発生すると、遊技者が停止ボタン５１，５２，５３を押す前に風が吹きかけられ、ボーナスゲーム内部当たりの発生を認識することができる。
【００４９】
次に、遊技者は、停止ボタン５１，５２，５３を押して、各回胴４１，４２，４３を停止させるが、ボーナスゲームを連続して獲得できる入賞配列の図柄が揃うと、回胴回転制御部１２は、風発生制御部１３に当選信号を出力する。
そして、当選信号を入力した風発生制御部１３は、制御信号を風発生部８に出力し、風発生部８のモータ８１を停止させ、吹出し口８５から風を当該スロットマシン１の遊技者に吹きかけることを止める。
なお、遊技者がボーナスゲームを連続して獲得できる入賞配列の図柄を揃えることができないときは、揃うまで風が吹きかけられる。
【００５０】
以上説明したように、本実施形態では、リーチ目，特定音及び告知ランプによる告知態様の代りに風による告知を行うことにより、遊技レベルにかかわらず初級者から上級者にいたるまでの全ての遊技者に、新鮮な感覚を与えるとともに、ボーナスゲーム内部当たりの発生に対する新たな面白さを提供することができる。
【００５１】
また、スロットマシン１は、内部当たり抽選部１１において、ボーナスゲーム内部当たりが発生すると、風発生部８から当該スロットマシン１で遊技中の遊技者だけに風が吹きかけられるので、周囲の遊技者は、当該スロットマシン１にボーナスゲーム内部当たりが発生していることを知ることができない。
したがって、当該スロットマシン１の遊技者が目押しのできない初級レベルの遊技者である場合であっても、この遊技者は、周囲の遊技者から威圧感を感じることもないので、目押しできない自分を非常に恥ずかしく感じてしまうこともなく、結果的に、遊技意欲を喪失してしまうこともない。
【００５２】
また、この遊技者は、当該スロットマシン１に内部当たりが発生していることを周囲の遊技者に知られていないので、周囲の目を気にすることもなく、回転している回胴４１，４２，４３の図柄から停止ボタンを押すタイミングを合わせる練習に集中できなくなり、遊技意欲が減退することもない。
【００５３】
さらにまた、目押しを行うことができる上級レベルの遊技者にとっても、周囲の遊技者に当該スロットマシン１にボーナスゲーム内部当たりが発生したことを知られなくてすむので、個人遊技に徹することができ、より集中して遊技を楽しむことができる。
【００５４】
［第二実施形態］
図４は、本発明の第二実施形態にかかるスロットマシンの概略図であり、（ａ）は正面図を、（ｂ）は側面図を示している。
同図に示すように、本実施形態は、上述した従来例に係るスロットマシン１００に風発生部８を設け、かつ、風発生部８の風のみによりボーナスゲーム内部当たりを遊技者に告知するための、切替スイッチ３１を備えた構成としてある。
なお、その他の構成は、上記第一実施形態のスロットマシン１とほぼ同様な構成としてある。
【００５５】
具体的には、同図に示すように、スロットマシン１ａは、上部化粧板３の両側に風発生部８を配設してあり、かつ、上部化粧板３に風発生部８の風のみによりボーナスゲーム内部当たりを遊技者に告知する切替スイッチ３１を設けてある。また、前面パネル４に告知ランプ４４を設けてある。
【００５６】
次に、上記構成のスロットマシン１ａの動作について、図面を参照して説明する。
図５は、第二実施形態にかかるスロットマシンの制御系を説明するための要部の概略ブロック図を示している。
同図に示すように、本実施形態は、制御部１０ａが、内部当たり抽選部１１，回胴回転制御部１２，風発生制御部１３，告知手段制御部１１１及び切替スイッチ３１を備えている。
【００５７】
具体的には、同図に示すように、制御部１０ａが風発生制御部１３と告知手段制御部１１１を備えており、かつ、切替手段としての切替スイッチ３１が告知手段制御部１１１にボーナスゲーム内部当たり発生信号および当選信号を入力させるか否かを切り替える構成としてある。
【００５８】
したがって、遊技者が切替スイッチ３１をオンにすると、告知手段制御部１１１にボーナスゲーム内部当たり発生信号および当選信号が入力されるので、ボーナスゲーム内部当たりが発生すると、風発生部８が風を吹き出すとともに、スピーカ７１から特定音が発せられ、かつ、告知ランプ４４が点灯して告知が行われる。
【００５９】
一方、遊技者が切替スイッチ３１をオフにすると、告知手段制御部１１１にボーナスゲーム内部当たり発生信号および当選信号が入力されないので、ボーナスゲーム内部当たりが発生しても、スピーカ７１から特定音が発せられることもなく、また、告知ランプ４４も点灯しない。したがって、遊技者に対して、風発生部８による風による告知のみが行われる。
【００６０】
以上説明したように、本実施形態では、ボーナスゲーム内部当たりが発生したとき、遊技者が希望する告知態様を選択することができる。
具体的には、切替スイッチ３１をオンにすることにより、リーチ目や、特定音、告知ランプ４４による告知を行うとともに、風による告知をも行うことができる。したがって、目に障害を持つ人が遊技する際、特定音で告知を受けるとともに、風によっても告知を受けることができるので、ボーナスゲーム内部当たりの発生をより確実に認識することができる。
なお、リーチ目や、特定音、告知ランプ４４による告知に慣れている遊技者にとっては、従来の遊技とほぼ同様な感覚で遊技することができる。
【００６１】
また、切替スイッチ３１をオフにすることにより、リーチ目も揃わず特定音や告知ランプ４４が作動しないので、周囲の遊技者は、ボーナスゲーム内部当たりの発生したことを気づけないので、ボーナスゲーム内部当たりを獲得した遊技者が、目押しのできない遊技者である場合であっても、周囲の遊技者から威圧感を感じて、遊技意欲を喪失してしまうといった不具合を回避することができる。
また、目押しを練習する遊技者にとっては、周囲の遊技者の目を気にしなくてもすむので、集中して目押しの練習を行うことができる。
【００６２】
なお、本実施形態では、切替スイッチ３１を設け、遊技者が切替スイッチ３１を操作できる構成としてあるが、切替スイッチ３１を設けず、ボーナスゲーム内部当たりが発生すると、常に、風，音及び光による告知が行われる構成としてもよいことは勿論である。
また、切替スイッチ３１は、遊技者が操作できる構造としてあるが、スロットマシン１ａの内部に設け、遊技場の管理者だけが操作できる構造としてもよい。
【００６３】
［第三実施形態］
次に、風の風量を変化させることにより、ボーナスゲーム内部当たりの種類を遊技者に告知する実施形態について説明する。
本実施形態では、風発生部８のモータ８１として可変速モータを用い、風発生制御部１３がボーナスゲーム内部当たり発生信号を入力し、この信号がビッグボーナスゲームに関するときは、モータ８１を高速で回転させる。また、上記信号がレギュラーボーナスゲームに関するときは、モータ８１を低速で回転させる構成としてある。
【００６４】
つまり、風発生制御部１３は、ビッグボーナスゲームの内部当たり信号を入力すると、モータ８１を高速回転制御する制御信号を風発生部８に出力する。また、レギュラーボーナスゲームの内部当たり信号を入力すると、モータ８１を低速回転制御する制御信号を風発生部８に出力する。
なお、その他の構造については、第一実施形態又は第二実施形態のスロットマシンとほぼ同様としてある。
【００６５】
上述したように、本実施形態のスロットマシンは、風発生部８をボーナスゲーム内部当たりの種類に応じて回転数制御して風の風量を変化させることにより、ボーナスゲーム内部当たりの種類、たとえば、「７・７・７」によるビッグボーナスゲームに内部当たりしたのか、あるいは、「ＢＡＲ，ＢＡＲ，ＢＡＲ」によるレギュラーボーナスゲームに内部当たりしたのかを遊技者に告知することができる。
【００６６】
なお、風発生部８が風量を変化させる手段は、上述した可変速モータを使用する場合に限定するものではなく、例えば、風発生部８を二つ設けてボーナスゲーム内部当たりの種類に応じて、双方の風発生部８を駆動させたり、あるいは、一方を駆動させることによって、風量を変化させてもよいことは勿論である。
【００６７】
［第四実施形態］
次に、風の風向きを変化させることにより、ボーナスゲーム内部当たりの種類を遊技者に告知する実施形態について説明する。
本実施形態では、風発生部８の風向板８４を回動制御する構成としてあり、風発生制御部１３がボーナスゲーム内部当たり発生信号を入力し、この信号がビッグボーナスゲームに関するときは、風向板８４を回動させ風向きを変化させる。また、上記信号がレギュラーボーナスゲームに関するときは、風向板８４を停止させ、風向きの変化しない風を遊技者に吹きかける。
なお、その他の構造については、第一実施形態又は第二実施形態のスロットマシンとほぼ同様としてある。
【００６８】
上述したように、本実施形態のスロットマシンは、風発生制御部１３が風向きを変化させることにより、ボーナスゲーム内部当たりが、ビッグボーナスか、レギュラーボーナスかを遊技者に告知することができる。
【００６９】
なお、風発生部８が風向きを変化させる手段は、上述した風向板８４を回動制御する場合に限定するものではなく、例えば、風発生部８を上部化粧板３の両側に二つ設けて、ボーナスゲーム内部当たりの種類に応じていずれか一方の風発生部８を駆動させてもよく、このようにすることにより、例えば、右上方から風を吹きかけることにより、ビッグボーナスのボーナスゲーム内部当たりを告知し、また、左上方から風を吹きかけることにより、レギュラーボーナスのボーナスゲーム内部当たりを告知することができる。
【００７０】
［第五実施形態］
次に、風の温度を変化させることにより、ボーナスゲーム内部当たりの種類を遊技者に告知する実施形態について説明する。
本実施形態では、図６に示すように、風発生部８は、ファン８２と風向板８４の間にヒータ８６を設けた構成としてあり、風発生制御部１３がボーナスゲーム内部当たり発生信号を入力し、この信号がビッグボーナスゲームに関するときは、ヒータ８６に通電し暖かい風を吹きかける。また、上記信号がレギュラーボーナスゲームに関するときは、ヒータ８６を使用しないで、周囲温度とほぼ同じ温度の風を遊技者に吹きかける。
なお、その他の構造については、第一実施形態又は第二実施形態のスロットマシンとほぼ同様としてある。
【００７１】
上述したように、本実施形態のスロットマシンは、風発生制御部１３がヒータ８６をオンオフ制御することにより、ボーナスゲーム内部当たりが、ビッグボーナスか、レギュラーボーナスかを遊技者に告知することができる。
【００７２】
［第六実施形態］
次に、風に臭いを添加することにより、ボーナスゲーム内部当たりの種類を遊技者に告知する実施形態について説明する。
本実施形態では、図７に示すように、風発生部８は、ファン８２と風向板８４の間に臭い発生手段８７を設けた構成としてあり、臭い発生手段８７は、加熱される臭いを発生させる臭いの素８７ａと臭いの素８７ａを加熱するヒータ８７ｂとからなっている。
【００７３】
そして、本実施形態のスロットマシンは、風発生制御部１３がボーナスゲーム内部当たり発生信号を入力し、この信号がビッグボーナスゲームに関するときは、ヒータ８７ｂに通電し臭いの素８７ａから臭いを発生させ、この臭いの添加された風を吹きかける。また、上記信号がレギュラーボーナスゲームに関するときは、ヒータ８７ｂに通電しないので、臭いの添加されていない風を遊技者に吹きかける。
なお、その他の構造については、第一実施形態又は第二実施形態のスロットマシンとほぼ同様としてある。
【００７４】
上述したように、本実施形態のスロットマシンは、風発生制御部１３が臭いの添加された風を遊技者に吹きかけることにより、ボーナスゲーム内部当たりが、ビッグボーナスか、レギュラーボーナスかを遊技者に告知することができる。
【００７５】
なお、臭い発生手段８７は、上述したように一つだけ設ける場合に限定されるものではなく、例えば、異なる臭いを発生させる複数の臭い発生手段８７を設けて、ボーナスゲーム内部当たりの種類に応じていずれか一方の臭い発生手段８７から臭いを発生させる構成としてもよく、このようにすることにより、ボーナスゲーム内部当たりの種類に応じて異なる臭いの添加された風を吹きかけることができる。
また、本実施形態のスロットマシンは、臭いの添加された風を吹きかけられることにより、遊技者の気分転換を図ることができ、倦怠感等を低減できるといった効果を発揮することもできる。
【図面の簡単な説明】
【００７６】
【図１】図１は、本発明の第一実施形態にかかるスロットマシンの概略図であり、（ａ）は正面図を、（ｂ）は側面図を示している。
【図２】図２は、第一実施形態にかかるスロットマシンの風発生部の概略図であり、（ａ）は正面図を、（ｂ）は側断面図を示している。
【図３】図３は、第一実施形態にかかるスロットマシンの制御系を説明するための要部の概略ブロック図を示している。
【図４】図４は、本発明の第二実施形態にかかるスロットマシンの概略図であり、（ａ）は正面図を、（ｂ）は側面図を示している。
【図５】図５は、第二実施形態にかかるスロットマシンの制御系を説明するための要部の概略ブロック図を示している。
【図６】図６は、第五実施形態にかかるスロットマシンの風発生部の概略側断面図を示している。
【図７】図７は、第六実施形態にかかるスロットマシンの風発生部の概略側断面図を示している。
【図８】図８は、従来例にかかるスロットマシンの概略図であり、（ａ）は正面図を、（ｂ）は側面図を示している。
【図９】図９は、従来例にかかるスロットマシンの制御系を説明するための要部の概略ブロック図を示している。
【符号の説明】
【００７７】
１，１ａ  スロットマシン
２  ランプ
３  上部化粧板
４  前面パネル
５  操作部
６  下部化粧板
７  メダル払出し部
８  風発生部
１０，１０ａ  制御部
１１  内部当たり抽選部
１２  回胴回転制御部
１３  風発生制御部
３１  切替スイッチ
４１  第一回胴
４２  第二回胴
４３  第三回胴
４４  告知ランプ
５０  スタートレバー
５１  第一回胴停止ボタン
５２  第二回胴停止ボタン
５３  第三回胴停止ボタン
７１  スピーカ
８１  モータ
８２  ファン
８３  ケーシング
８４  風向板
８５  吹出し口
８６  ヒータ
８７  臭い発生手段
８７ａ  臭いの素
８７ｂ  ヒータ
１００  スロットマシン
１１０  制御部
１１１  告知手段制御部
【図１】
2008073559.tif 000003
【図２】
2008073559.tif 000004
【図３】
2008073559.tif 000005
【図４】
2008073559.tif 000006
【図５】
2008073559.tif 000007
【図６】
2008073559.tif 000008
【図７】
2008073559.tif 000009
【図８】
2008073559.tif 000010
【図９】
2008073559.tif 000011